【手続補正書】
【提出日】平成15年7月30日(2003.7.30)
【手続補正１】
【補正対象書類名】明細書
【補正対象項目名】発明の名称
【補正方法】変更
【補正の内容】
【発明の名称】管理端末


【手続補正２】
【補正対象書類名】明細書
【補正対象項目名】特許請求の範囲
【補正方法】変更
【補正の内容】
【特許請求の範囲】
【請求項１】
クライアントと、前記クライアントが使用するデータを論理ユニットに格納する記憶装置システムとを接続するネットワークに接続される管理端末であって、
前記管理端末は、前記論理ユニットを前記管理端末にマウントする手段と、
前記論理ユニットに、ソフトウェアのセットアップを実行する手段と、
前記セットアップ終了後、前記論理ユニットを前記管理端末からアンマウントする手段を備える、管理端末。
【請求項２】
前記管理端末は、前記クライアントから、前記クライアントに関する情報である第一のレジストリを取得する手段と、
前記第一のレジストリと前記管理端末に関する情報である第二のレジストリを比較する手段と、
前記比較の結果、前記第二のレジストリに不足情報がある場合、当該不足情報を作成し付加する手段を備える、請求項１記載の管理端末。
【請求項３】
前記管理端末は、前記クライアントのオペレーティングシステムの種別を認識する手段と、
前記オペレーティングシステムの種別に応じて、当該オペレーティングシステムの管理情報を、前記管理端末に関する情報である第二のレジストリに追加する手段を備える、請求項１記載の管理端末。
【請求項４】
複数のクライアントと、前記複数のクライアントが使用するデータを論理ユニットに格納する記憶装置システムとを接続するネットワークに接続される管理端末であって、
前記複数のクライアントが有するアプリケーションのバージョンを比較する手段と、
前記比較の結果に応じて、セットアップを実行すべきクライアントの論理ユニットを決定する手段と、
前記論理ユニットに対してセットアップを実行するためのバッチファイルを作成する手段を備える、管理端末。
【請求項５】
複数のクライアントと、前記複数のクライアントが使用するデータを論理ユニットに格納する記憶装置システムとを接続するネットワークに接続される管理端末であって、
仮想クライアントとして前記クライアントのオペレーティングシステムを起動する手段と、
前記複数のクライアントのソフトウェアをマルチタスクでセットアップする手段を有する、管理端末。
【請求項６】
クライアントと、第一の記憶装置と第二の記憶装置を備える記憶装置システムとが接続するネットワークに接続される管理端末であって、
前記管理端末は、前記クライアントが使用するデータを格納する前記第一の記憶装置内の論理ユニットを前記管理端末にマウントする手段と、
前記論理ユニットに、ソフトウェアのセットアップを実行する手段と、
セットアップした前記ソフトウェアを、前記第二の記憶装置が有する論理ユニットにコピーする手段と、
前記第一の記憶装置が第三の記憶装置と交換された場合、前記第二の記憶装置にコピーされた前記ソフトウェアを、前記第三の記憶装置にセットアップする手段を備える、管理端末。
【手続補正３】
【補正対象書類名】明細書
【補正対象項目名】０００１
【補正方法】変更
【補正の内容】
【０００１】
【発明の属する技術分野】
本発明は、管理端末に関し、さらに詳しくは、クライアントのソフトウエアを代行してセットアップする管理端末に関する。


【手続補正４】
【補正対象書類名】明細書
【補正対象項目名】０００３
【補正方法】変更
【補正の内容】
【０００３】
【発明が解決しようとする課題】
上記従来のソフトウエアのセットアップでは、１台１台のクライアントに作業者が専従してセットアップを行なっている。
従って、クライアント数の増加によってセットアップ作業に手間を要する問題点がある。特に、ノード間で１０ｋｍの光伝送が可能なファイバチャネルのループ（ＦＣ−ＡＬ：Fibre Channel Arbitrated Loop）が普及すると、クライアント対クライアントの遠隔化が進み、クライアント分散によって、ソフトウエアのセットアップ作業のコスト上昇を招く問題点がある。
そこで、本発明の目的は、クライアントのソフトウエアを代行してセットアップする管理端末を提供することにある。


【手続補正５】
【補正対象書類名】明細書
【補正対象項目名】０００４
【補正方法】変更
【補正の内容】
【０００４】
【課題を解決するための手段】
第１の観点では、本発明は、クライアントと、前記クライアントが使用するデータを論理ユニットに格納する記憶装置システムとを接続するネットワークに接続される管理端末であって、前記管理端末は、前記論理ユニットを前記管理端末にマウントする手段と、前記論理ユニットに、ソフトウェアのセットアップを実行する手段と、前記セットアップ終了後、前記論理ユニットを前記管理端末からアンマウントする手段を備える、管理端末を提供する。
上記第１の観点の管理端末では、クライアントが使用する論理ユニットにマウントして、セットアップを行う。これにより、管理端末が、セットアップ対象クライアントに成り代わって、ソフトウエアをセットアップできる。


【手続補正６】
【補正対象書類名】明細書
【補正対象項目名】０００５
【補正方法】変更
【補正の内容】
【０００５】
第２の観点では、本発明は、前記管理端末は、前記クライアントから、前記クライアントに関する情報である第一のレジストリを取得する手段と、前記第一のレジストリと前記管理端末に関する情報である第二のレジストリを比較する手段と、前記比較の結果、前記第二のレジストリに不足情報がある場合、当該不足情報を作成し付加する手段を備える、請求項１記載の管理端末を提供する。
上記第２の観点の管理端末では、クライアントのレジストリを自分に反映して、セットアップを行う。これにより、管理端末が、セットアップ対象クライアントに成り代わって、ソフトウエアをセットアップできる。


【手続補正７】
【補正対象書類名】明細書
【補正対象項目名】０００６
【補正方法】変更
【補正の内容】
【０００６】
第３の観点では、本発明は、前記管理端末は、前記クライアントのオペレーティングシステムの種別を認識する手段と、前記オペレーティングシステムの種別に応じて、当該オペレーティングシステムの管理情報を、前記管理端末に関する情報である第二のレジストリに追加する手段を備える、請求項１記載の管理端末を提供する。


【手続補正８】
【補正対象書類名】明細書
【補正対象項目名】０００７
【補正方法】変更
【補正の内容】
【０００７】
第４の観点では、本発明は、複数のクライアントと、前記複数のクライアントが使用するデータを論理ユニットに格納する記憶装置システムとを接続するネットワークに接続される管理端末であって、前記複数のクライアントが有するアプリケーションのバージョンを比較する手段と、前記比較の結果に応じて、セットアップを実行すべきクライアントの論理ユニットを決定する手段と、前記論理ユニットに対してセットアップを実行するためのバッチファイルを作成する手段を備える、管理端末を提供する。
上記第４の観点の管理端末では、バッチ処理化してセットアップを行うことが出来る。
【手続補正９】
【補正対象書類名】明細書
【補正対象項目名】０００８
【補正方法】変更
【補正の内容】
【０００８】
第５の観点では、本発明は、複数のクライアントと、前記複数のクライアントが使用するデータを論理ユニットに格納する記憶装置システムとを接続するネットワークに接続される管理端末であって、仮想クライアントとして前記クライアントのオペレーティングシステムを起動する手段と、前記複数のクライアントのソフトウェアをマルチタスクでセットアップする手段を有する、管理端末を提供する。
上記第５の観点の管理端末では、複数のクライアントのオペレーションシステムを仮想クライアントとして起動し、マルチタスクでセットアップを行う。これにより、管理端末が、複数のセットアップ対象クライアントに成り代わって、ソフトウエアをセットアップできる。
【手続補正１０】
【補正対象書類名】明細書
【補正対象項目名】０００９
【補正方法】変更
【補正の内容】
【０００９】
第６の観点では、本発明は、クライアントと、第一の記憶装置と第二の記憶装置を備える記憶装置システムとが接続するネットワークに接続される管理端末であって、前記管理端末は、前記クライアントが使用するデータを格納する前記第一の記憶装置内の論理ユニットを前記管理端末にマウントする手段と、前記論理ユニットに、ソフトウェアのセットアップを実行する手段と、セットアップした前記ソフトウェアを、前記第二の記憶装置が有する論理ユニットにコピーする手段と、前記第一の記憶装置が第三の記憶装置と交換された場合、前記第二の記憶装置にコピーされた前記ソフトウェアを、前記第三の記憶装置にセットアップする手段を備える、管理端末を提供する。
上記第６の観点の管理端末では、第一の記憶装置のソフトウエアを第二の記憶装置にコピーしておき、第一の記憶装置を第三の記憶装置に交換した時に第二の記憶装置にコピーしておいたソフトウエアを第三の記憶装置にセットアップする。これにより、管理端末が、セットアップ対象クライアントに成り代わって、ソフトウエアをセットアップできる。
【手続補正１１】
【補正対象書類名】明細書
【補正対象項目名】００１１
【補正方法】変更
【補正の内容】
【００１１】
図２２は、本発明の第１〜第３の実施形態にかかる管理コンソール（管理端末）を用いたセットアップ代行システムの概念図である。
このセットアップ代行システム１は、複数のクライアント１００〜１０２と、それらクライアント１００〜１０２で実行するソフトウエアを記憶するロジカルユニット（LU）１０６〜１０８を有するディスクシステム１０５とを、ＳＡＮ（Storage Area Network）のループ１１０を介して接続し、さらに、そのループ１１０に、管理コンソール１０９を接続してなる。
前記管理コンソール１０９は、通常のコンピュータの構成に加えて、メインテナンス制御部１０（第１の実施形態）、５０（第２の実施形態）、７０（第３の実施形態）を具備しており、クライアント１００，１０１，１０２がそれぞれ専有するロジカルユニット（LU）１０６，１０７，１０８に対して、クライアント１００，１０１，１０２に成り代わって、セットアップディスク１０３を起動して、ソフトウエアのセットアップ作業を行う。


【手続補正１２】
【補正対象書類名】明細書
【補正対象項目名】００２５
【補正方法】変更
【補正の内容】
【００２５】
図８は、前記ＯＳ種別認識部５１の詳細を示すブロック図である。
このＯＳ種別認識部５１は、クライアント１００，１０１，１０２から受信したレジストリの内のＯＳの種別，バージョンに関する情報を受信するＯＳ関連レジストリ受信部５３と、ＯＳの種別を示す識別子を捜し出すＯＳ識別子検索部５４と、セットアップデータの管理情報の内でＯＳ管理情報を受信するセットアップデータＯＳ管理情報受信部５５と、クライアント１００，１０１，１０２のＯＳの種別とセットアップするＯＳの種別とを比較するＯＳ比較部５６と、セットアップするＯＳのＯＳ管理情報を管理コンソール１０９へ送信するＯＳ管理情報送信部５７とから成る。


【手続補正１３】
【補正対象書類名】明細書
【補正対象項目名】００４２
【補正方法】変更
【補正の内容】
【００４２】
図１６は、前記ループＩＤ割り当て部７４の詳細を示すブロック図である。
このループＩＤ割り当て部７４は、セットアップ対象クライアントのループＩＤを受信するセットアップ対象クライアントのループＩＤ受信部８３と、ＳＡＮのループ１１０上の全クライアントのループＩＤを受信する全クライアントのループＩＤ受信部８６と、セットアップ対象クライアントに新たに割り当てるループＩＤを作成する新規ループＩＤ作成部８４と、セットアップ対象クライアントに新規ループＩＤを送信する新規ループＩＤ送信部８５と、セットアップ対象クライアントのセットアップ前のオリジナルなループＩＤとセットアップ時に用いる新規ループＩＤの関係を登録するループＩＤ管理マップ８７とから成る。


【手続補正１４】
【補正対象書類名】明細書
【補正対象項目名】００４６
【補正方法】変更
【補正の内容】
【００４６】
例えば、クライアント１００，１０１が専有するロジカルユニット（LU）１０６，１０７に Microsoft社のアプリケーション Word 5.0 がそれぞれ入っており、管理コンソール１０９から Word 6.0 のセットアップディスク１０３を使ってセットアップする場合を想定すると、まず、セットアップディスク１０３を起動する。すると、ＳＡＮのループ上１１０にある全クライアント１００〜１０３から Word を持つものを探し出す。次に、その中でバージョンが同一もしくはセットアップディスク１０３より古いものを選び出し、セットアップ対象クライアントを特定する。例えばクライアント１００，１０１がその対象となる。そしてバッチ処理で、クライアント１００，１０１のロジカルユニット（LU）１０６，１０７に対して、同じセットアップ処理を連続して行なう。
以上のように同じセットアップ作業を連続して一括処理することで、高い管理性能を持ったシステムを実現できる。


【手続補正１５】
【補正対象書類名】明細書
【補正対象項目名】００５６
【補正方法】変更
【補正の内容】
【００５６】
【発明の効果】
本発明の管理端末によれば、クライアントのソフトウエアをクライアントに代行してセットアップすることが出来る。よって、クライアント数が増加しても、また、ファイバチャネルの普及によりクライアントの分散が進んでも、ソフトウエアのセットアップ作業を容易に行うことができ、作業コストを削減できる。